(57)【特許請求の範囲】
【請求項１】
帳票のイメージデータを表示した帳票イメージ画面の被拡大領域を選択する操作を入力部で受付け、その被拡大領域を拡大して表示する帳票イメージ表示装置において、
入力部で選択された領域を拡大して表示する帳票イメージ画面内の表示位置および大きさを記憶する拡大調整情報を有する記憶部と、
前記拡大調整情報から表示位置および大きさを抽出し、選択された被拡大領域を抽出した大きさに拡大し、抽出した表示位置に表示する拡大調整手段とを設け、
前記拡大調整情報を、前記入力部で選択された被拡大領域の数を示す選択領域数に関連付けて、選択された領域を拡大して表示する帳票イメージ画面内の表示位置および大きさの情報とし、
前記拡大調整手段が、選択された被拡大領域を拡大して帳票イメージ画面内に表示するようにしたことを特徴とする帳票イメージ表示装置。
【請求項２】
帳票のイメージデータを表示した帳票イメージ画面の被拡大領域を選択する操作を入力部で受付け、その被拡大領域を拡大して表示する帳票イメージ表示装置において、
入力部で選択された領域を拡大して表示する帳票イメージ画面内の表示位置および大きさを記憶する拡大調整情報を有する記憶部と、
前記拡大調整情報から表示位置および大きさを抽出し、選択された被拡大領域を抽出した大きさに拡大し、抽出した表示位置に表示する拡大調整手段とを設け、
前記拡大調整情報を、前記入力部で選択された被拡大領域の数を示す選択領域数に関連付けて、選択された領域を拡大して表示する帳票イメージ画面内の表示位置および大きさの情報とし、
前記拡大調整手段は、前記選択領域数に基づいて前記拡大調整情報から表示位置および大きさを抽出し、選択された被拡大領域を抽出した大きさに拡大し、抽出した帳票イメージ画面内の表示位置に表示することを特徴とする帳票イメージ表示装置。
【発明の詳細な説明】
【技術分野】
【０００１】
本発明は、銀行等の金融機関に設置され、顧客から提出された帳票をスキャナで読取り、その帳票のイメージデータを表示する帳票イメージ表示装置に関する。
【背景技術】
【０００２】
従来の帳票イメージ表示装置は、帳票に記入された文字の認識や押印された印鑑の照合ができなかった場合、オペレータが目視でその文字等を確認するために文字等が記入された部位をマウスでクリックされるとその部位の近傍を拡大して表示するようにしている。
また、文字の記入欄に記入した文字を訂正するための二重線等を検出し、その文字の記入欄を拡大して表示するようにしているものもある（例えば、特許文献１参照）。
【特許文献１】特開平９−８１６６６号公報（段落「００５７」〜段落「００６６」、図１２）
【発明の開示】
【発明が解決しようとする課題】
【０００３】
しかしながら、上述した従来の帳票イメージ表示装置は、例えば印鑑の拡大画像および署名の拡大画像を拡大して表示させたい場合、まず印鑑が押印されている領域を拡大して表示させ、次にその画面を閉じた後に署名がされている領域を拡大して表示する必要があり、印鑑と署名を同時に拡大して表示することができないという問題がある。
本発明は、このような問題を解決することを課題とする。
【課題を解決するための手段】
【０００４】
そのため、本発明は、帳票のイメージデータを表示した帳票イメージ画面の被拡大領域を選択する操作を入力部で受付け、その被拡大領域を拡大して表示する帳票イメージ表示装置において、入力部で選択された領域を拡大して表示する帳票イメージ画面内の表示位置および大きさを記憶する拡大調整情報を有する記憶部と、前記拡大調整情報から表示位置および大きさを抽出し、選択された被拡大領域を抽出した大きさに拡大し、抽出した表示位置に表示する拡大調整手段とを設け、前記拡大調整情報を、前記入力部で選択された被拡大領域の数を示す選択領域数に関連付けて、選択された領域を拡大して表示する帳票イメージ画面内の表示位置および大きさの情報とし、前記拡大調整手段が、選択された被拡大領域を拡大して帳票イメージ画面内に表示するようにしたことを特徴とする。
【発明の効果】
【０００５】
このようにした本発明は、オペレータは拡大して表示された署名や印鑑を一つの画面で確認することができるようになり、オペレータの操作負担を軽減することができるという効果が得られる。
【発明を実施するための最良の形態】
【０００６】
以下、図面を参照して本発明による帳票イメージ表示装置の実施例を説明する。
【実施例】
【０００７】
図１は実施例における帳票イメージ表示装置の構成を示すブロック図である。
図１において、１は帳票イメージ表示装置であり、銀行等の金融機関に設置され、スキャナ等で読取った帳票のイメージデータを画面に表示するものである。
２はキーボードやマウス等で構成された入力部であり、３は液晶ディスプレイ等で構成された表示部である。表示部３は帳票のイメージデータを表示することができるようになっており、また入力部２は表示部３に表示した帳票のイメージデータの所定の領域を選択することができるようになっている。
【０００８】
４は帳票入力部であり、帳票のイメージデータを入力するものである。この帳票入力部４は、ＣＣＤ（Ｃｈａｒｇｅ  Ｃｏｕｐｌｅｄ  Ｄｅｖｉｃｅｓ）センサ等で構成されたスキャナで帳票のイメージデータを読取るようにしてもよいし、他の装置で読取った帳票のイメージデータを図示しない通信回線を介して受信するようにしてもよい。
５は記憶部であり、半導体メモリや磁気ディスク等で構成され情報を記憶し、記憶した情報を読出すことができるものである。この記憶部５には帳票イメージ表示装置１全体の動作を制御する制御プログラム（ソフトウェア）等を記憶する。
【０００９】
また、記憶部５は入力部２で選択された帳票のイメージデータの領域を拡大して表示部３に表示するための拡大調整情報５１を予め記憶する。なお、拡大調整情報５１の詳細は後述する。
６は制御部であり、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段等で構成されたものである。この制御部６は入力部２、表示部３、帳票入力部４、記憶部５、および通信回線を介して上位装置との間で通信を行う図示しない通信部を含めて帳票イメージ表示装置１全体の動作を記憶部５に格納された制御プログラム（ソフトウェア）に基づいて制御する。
【００１０】
また、制御部６は記憶部５に記憶した拡大調整情報５１に基づいて入力部２で選択された帳票のイメージデータの領域を拡大して表示部３に表示する拡大調整手段６１を備えている。
このように構成された帳票イメージ表示装置１は制御部６の制御により帳票入力部４で入力された帳票のイメージデータを表示部３に表示するとともに入力部２で選択された帳票のイメージデータの領域を拡大して表示部３に表示する。
【００１１】
図２は実施例における帳票イメージを表示した画面の説明図であり、表示部３に帳票のイメージデータを表示した帳票イメージ画面２１の例を示している。
この帳票イメージ画面２１は、Ｘ軸方向の大きさをｘ、Ｙ軸方向の大きさをｙとした画面であり、その画面の左側に帳票入力部４で入力した帳票のイメージデータを表示し、画面の右側に図示しない顧客の印鑑や署名を登録しておくデータベースから抽出した顧客の登録印鑑や登録署名のイメージデータを表示するものである。
【００１２】
また、本実施例では帳票のイメージデータは銀行名を記入した領域２２、本支店名を記入した領域２３、口座種類を記入した領域２４、口座番号を記入した領域２５、署名を記入した領域２６、ならびに印鑑を押印した領域２７等の６個の被拡大領域で構成されているものとし、さらに、帳票イメージ画面２１は、拡大して表示する被拡大領域の選択を開始するための「開始」ボタン２８およびその選択を終了させるための「終了」ボタン２９等を備えているものとする。
【００１３】
この「開始」ボタン２８をマウスでクリックした後、拡大して表示する被拡大領域をマウスでクリックして選択（複数の被拡大領域を選択することができるものとする）し、「終了」ボタン２９をマウスでクリックする操作を検知すると制御部６の拡大調整手段６１は、記憶部５に記憶する拡大調整情報５１に基づいて選択された被拡大領域を拡大して帳票イメージ画面２１に表示する。
【００１４】
ここで、記憶部５に記憶する拡大調整情報５１を図３の実施例における拡大した画像の表示領域の説明図および図４の実施例における拡大調整情報の説明図に基づいて説明する。
まず、選択された被拡大領域を拡大して表示する帳票イメージ画面２１内の領域である拡大表示領域を説明する。なお、本実施例では、被拡大領域を６箇所とし、選択された被拡大領域が１〜６箇所の場合を以下に説明する。
【００１５】
選択された被拡大領域が１箇所の場合、図３（ａ）に示すように帳票イメージ画面２１と同じ大きさの表示領域３１１を拡大表示領域とする。
選択された被拡大領域が２箇所の場合、図３（ｂ）に示すように帳票イメージ画面２１のＹ軸方向を２分割した表示領域３２１、３２２を拡大表示領域とする。
選択された被拡大領域が３箇所の場合、図３（ｃ）に示すように帳票イメージ画面２１のＹ軸方向を２分割し、さらにその一方の領域のＸ軸方向を２分割した表示領域３３１、３３２、３３３を拡大表示領域とする。
【００１６】
選択された被拡大領域が４箇所の場合、図３（ｄ）に示すように帳票イメージ画面２１のＹ軸方向を２分割し、さらにＸ軸方向を２分割した表示領域３４１、３４２、３４３、３４４を拡大表示領域とする。
選択された被拡大領域が５箇所の場合、図３（ｅ）に示すように帳票イメージ画面２１のＹ軸方向を３分割し、さらに分割された２つの領域のＸ軸方向を２分割した表示領域３５１、３５２、３５３、３５４、３５５を拡大表示領域とする。
【００１７】
選択された被拡大領域が６箇所の場合、図３（ｆ）に示すように帳票イメージ画面２１のＹ軸方向を３分割し、さらにＸ軸方向を２分割した表示領域３６１、３６２、３６３、３６４、３６５、３６６を拡大表示領域とする。
なお、分割の仕方はこれに限らない。例えば、図３（ｂ）では帳票イメージ画面２１のＹ軸方向を２分割した表示領域３２１、３２２を拡大表示領域としたが、Ｘ軸方向を２分割した表示領域としてもよい。この際、分割する方法が２通り出来てしまうが、選択された被拡大領域拡大率に応じてＸ軸方向を２分割するかＹ軸方向を２分割するかを図示しない制御部６の判定部で判定するようにすればよい。
【００１８】
次に、拡大調整情報５１の構成を説明する。
図４において、拡大調整情報５１は、選択された被拡大領域の数を示す情報である選択領域数、選択された領域を拡大して表示する拡大表示領域の帳票イメージ画面２１内の表示位置（相対座標）および大きさを示す情報で構成され、その選択領域数に関連付けて表示位置および大きさが記憶部５に記憶されている。
【００１９】
例えば、帳票イメージ画面２１のＸ軸方向の大きさを「ｘ」、Ｙ軸方向の大きさを「ｙ」（なお、ｘおよびｙは画素数を示すものとする。）とした場合、
選択領域数が「１」のとき、帳票イメージ画面２１内のＸ座標を「０」、Ｙ座標を「０」とし、Ｘ軸方向の大きさを「ｘ」、Ｙ軸方向の大きさを「ｙ」とした領域を拡大表示領域とし、
選択領域数が「２」のとき、帳票イメージ画面２１内のＸ座標を「０」、Ｙ座標を「０」とし、Ｘ軸方向の大きさを「ｘ」、Ｙ軸方向の大きさを「ｙ／２」とした領域および帳票イメージ画面２１内のＸ座標を「０」、Ｙ座標を「ｙ／２」とし、Ｘ軸方向の大きさを「ｘ」、Ｙ軸方向の大きさを「ｙ／２」とした領域を拡大表示領域とし、
選択領域数が「３」のとき、帳票イメージ画面２１内のＸ座標を「０」、Ｙ座標を「０」とし、Ｘ軸方向の大きさを「ｘ」、Ｙ軸方向の大きさを「ｙ／２」とした領域、帳票イメージ画面２１内のＸ座標を「０」、Ｙ座標を「ｙ／２」とし、Ｘ軸方向の大きさを「ｘ／２」、Ｙ軸方向の大きさを「ｙ／２」とした領域、および帳票イメージ画面２１内のＸ座標を「ｘ／２」、Ｙ座標を「ｙ／２」とし、Ｘ軸方向の大きさを「ｘ／２」、Ｙ軸方向の大きさを「ｙ／２」とした領域を拡大表示領域とする。
【００２０】
なお、選択領域数が「４」〜「６」のときも同様であり、図４に示したようになる。
本実施例では、帳票のイメージデータは６個の被拡大領域で構成されているものとして説明するが、それに限られることなく被拡大領域は５個以下、７個以上であってもよく、帳票のイメージデータの被拡大領域数に応じて構成された拡大調整情報５１を記憶部５に記憶させておくものとする。
【００２１】
上述した構成の作用を図５の実施例における帳票イメージを拡大させる操作の説明図、図６の実施例における拡大して表示した帳票イメージの説明図に基づいて説明する。
なお、以下に説明する各部の動作は、図示しないメモリ等の記憶手段に格納されたプログラム（ソフトウェア）に基づいて図示しない中央処理装置等の制御手段により制御される。
【００２２】
帳票イメージ表示装置１の表示部３は、図５に示すように、Ｘ軸方向の大きさをｘ、Ｙ軸方向の大きさをｙとした画面の左側に帳票入力部４で入力した帳票のイメージデータを表示し、画面の右側に図示しない顧客の印鑑や署名を登録しておくデータベースから抽出した顧客の登録印鑑や登録署名のイメージデータを表示する帳票イメージ画面２１を表示しているものとする。
【００２３】
また、本実施例では帳票イメージ画面２１に表示した帳票のイメージデータは銀行名を記入した領域２２、支店名を記入した領域２３、口座科目を記入した領域２４、口座番号を記入した領域２５、署名を記入した領域２６、ならびに印鑑を押印した領域２７等の６個の被拡大領域で構成されているものとし、さらに、その帳票イメージ画面２１は、拡大して表示する被拡大領域の選択を開始するための「開始」ボタン２８およびその選択を終了させるための「終了」ボタン２９等を備えている。
【００２４】
なお、記憶部５には表示した被拡大領域等の座標および大きさが記憶されているものとする。
帳票イメージ表示装置１を操作するオペレータは、署名を記入した領域２６、印鑑を押印した領域２７、および口座番号を記入した領域２５を拡大して表示させるため、マウスを操作して「開始」ボタン２８、署名を記入した領域２６、印鑑を押印した領域２７、口座番号を記入した領域２５、「終了」ボタン２９の順にクリックするものとする。
【００２５】
その操作を入力部２で受付けたことを検知した制御部６の拡大調整手段６１は署名を記入した領域２６、印鑑を押印した領域２７、および口座番号を記入した領域２５の３箇所の被拡大領域が選択されたことを認識する。
拡大調整手段６１は選択領域数を「３」として拡大調整情報５１からそれぞれの拡大表示領域の表示位置および大きさを抽出する。
【００２６】
本実施例では、拡大調整手段６１は帳票イメージ画面２１内のＸ座標を「０」、Ｙ座標を「０」とし、Ｘ軸方向の大きさを「ｘ」、Ｙ軸方向の大きさを「ｙ／２」とした領域、帳票イメージ画面２１内のＸ座標を「０」、Ｙ座標を「ｙ／２」とし、Ｘ軸方向の大きさを「ｘ／２」、Ｙ軸方向の大きさを「ｙ／２」とした領域、および帳票イメージ画面２１内のＸ座標を「ｘ／２」、Ｙ座標を「ｙ／２」とし、Ｘ軸方向の大きさを「ｘ／２」、Ｙ軸方向の大きさを「ｙ／２」とした領域を拡大表示領域として抽出する。
【００２７】
拡大調整手段６１は、署名を記入した領域２６を帳票イメージ画面２１内のＸ座標を「０」、Ｙ座標を「０」とし、Ｘ軸方向の大きさを「ｘ」、Ｙ軸方向の大きさを「ｙ／２」とした領域に、印鑑を押印した領域２７を帳票イメージ画面２１内のＸ座標を「０」、Ｙ座標を「ｙ／２」とし、Ｘ軸方向の大きさを「ｘ／２」、Ｙ軸方向の大きさを「ｙ／２」とした領域に、口座番号を記入した領域２５を帳票イメージ画面２１内のＸ座標を「ｘ／２」、Ｙ座標を「ｙ／２」とし、Ｘ軸方向の大きさを「ｘ／２」、Ｙ軸方向の大きさを「ｙ／２」とした領域に拡大して表示する。
【００２８】
なお、拡大調整手段６１は、選択された領域を拡大表示領域に拡大して表示するとき、Ｘ軸方向とＹ軸方向の拡大率が略等しくなるようにして拡大することが望ましい。
したがって、印鑑を押印した領域２７を拡大する場合、Ｙ軸方向の拡大率とＸ軸方向の拡大率が等しくなるように拡大、すなわち小さい拡大率に合わせてＸ軸方向およびＹ軸方向を拡大する。
【００２９】
例えば、図６に示すように略正方形の印鑑を押印した領域２７を拡大する場合、小さい拡大率であるＹ軸方向の拡大率に合わせてＸ軸方向を拡大して表示する。
このため、Ｘ軸方向に余白ができてしまうが、この余白のＸ軸方向の長さをαとした場合、口座番号を記入した領域２５を拡大して表示する拡大表示領域のＸ座標を「（ｘ／２）―α」、Ｙ座標を「ｙ／２」とし、Ｘ軸方向の大きさを「（ｘ／２）＋α」、Ｙ軸方向の大きさを「ｙ／２」となるように補正する。
【００３０】
このようにして拡大調整手段６１は、図６に示すように選択された署名を記入した領域２６、印鑑を押印した領域２７、および口座番号を記入した領域２５をそれぞれ帳票イメージ画面２１の拡大表示領域３１，３２，３３に拡大して表示する。
したがって、帳票に記入された署名、押印された印鑑、および記入された口座番号等を一つの画面に拡大して表示することができるようになり、オペレータは拡大して表示された署名や印鑑を一つの画面で確認することができる。
【００３１】
以上説明したように、本実施例では、拡大調整手段が選択された領域を帳票イメージ画面の拡大表示領域に拡大して表示するようにしたことにより、オペレータは拡大して表示された署名や印鑑を一つの画面で確認することができるようになり、オペレータの操作負担を軽減することができるという効果が得られる。
また、オペレータは前に表示された画面の記憶に頼る必要がなくなり、作業を確実に行うことができるようになるという効果が得られる。
【図面の簡単な説明】
【００３２】
【図１】実施例における帳票イメージ表示装置の構成を示すブロック図
【図２】実施例における帳票イメージを表示した画面の説明図
【図３】実施例における拡大した画像の表示領域の説明図
【図４】実施例における拡大調整情報の説明図
【図５】実施例における帳票イメージを拡大させる操作の説明図
【図６】実施例における拡大して表示した帳票イメージの説明図
【符号の説明】
【００３３】
１    帳票イメージ表示装置
２    入力部
３    表示部
４    帳票入力部
５    記憶部
６    制御部
５１  拡大調整情報
６１  拡大調整手段
【図１】
0005217589.tif 000002
【図２】
0005217589.tif 000003
【図３】
0005217589.tif 000004
【図４】
0005217589.tif 000005
【図５】
0005217589.tif 000006
【図６】
0005217589.tif 000007